(57)【要約】      （修正有）【課題】手持ちサイズの携帯通信装置として使用するための、インタラクティブ、低電力、収納可能な、情報処理機能を持つマルチメディア・ディスプレイ・システムを提供する。【解決手段】ディスプレイ通信装置は、筺体１０２と、プロセッサと、無線信号を送受信するための無線トランシーバ装置と、前記筺体に機械的に連結され前記プロセッサに電気的につながれた収納可能なディスプレイ１０６とを有することができる。前記ディスプレイは、前記筺体のいずれの横断面積よりも大きい表面積を有することが可能である。前記プロセッサは入力無線信号から表示データを抽出し、前記表示データの表示を前記ディスプレイに提供するようにできる。【選択図】図３Ｂ
2010252356.tif 000002
【特許請求の範囲】
【請求項１】
手持ちサイズのディスプレイ装置であって、
筐体と、
表示データを提供するよう構成されたプロセッサと、
前記表示データに基づく視覚表示を提供する収納式ディスプレイであって、
前記収納式ディスプレイは前記筐体に連結し、前記筐体のいずれの横断面よりも大きい表面積を有するものであり、
前記収納式ディスプレイはアクティブ・マトリクス・ディスプレイであり、柔軟で筐体内部に巻きつけられることが可能で、１回を超えて完全に一周して巻かれることが可能なものであり、
フレキシブルアクティブ・マトリクス・バックプレーン上に積層された複数の有機発光デバイス（ｏｒｇａｎｉｃ  ｌｉｇｈｔ  ｅｍｉｔｔｉｎｇ  ｄｅｖｉｃｅ：ＯＬＥＤｓ）を有するものである、収納式ディスプレイと
からなる手持ちサイズのディスプレイ装置。
【請求項２】
前記プロセッサが前記筐体内部に含まれるものである、請求項１記載のディスプレイ装置。
【請求項３】
前記収納式ディスプレイがユーザー入力データを受信する働きをするものである、請求項１記載のディスプレイ装置。
【請求項４】
請求項１記載のディスプレイ装置であって、さらに前記収納式ディスプレイに取り付けられている第１の電源を有するものである、ディスプレイ装置
【請求項５】
前記第１の電源は薄膜電池を含むものである、請求項４記載のディスプレイ装置。
【請求項６】
前記第１の電源は光電池を含むものである、請求項４記載のディスプレイ装置。
【請求項７】
前記第１の電源は燃料電池を含むものである、請求項４記載のディスプレイ装置。
【請求項８】
前記筐体は第２の電源を含むものである、請求項４記載のディスプレイ装置。
【請求項９】
前記第１の電源および前記第２の電源のうち少なくとも１つは薄膜電池を含むものである、請求項８記載のディスプレイ装置。
【請求項１０】
前記第１の電源および前記第２の電源のうち少なくとも１つは光電池を含むものである、請求項８記載のディスプレイ装置。
【請求項１１】
前記第１の電源および前記第２の電源のうち少なくとも１つは燃料電池を含むものである、請求項８記載のディスプレイ装置。
【請求項１２】
請求項１記載のディスプレイ装置であって、さらに前記収納式ディスプレイの表面に配置された、取り外し可能な透明材料を有するものである、ディスプレイ装置。
【請求項１３】
前記取り外し可能な透明層はプラスチック・フィルムを含むものである、請求項１２記載のディスプレイ装置。
【請求項１４】
請求項１記載のディスプレイ装置であって、前記ディスプレイはピクセルを有し、前記ピクセルは赤外線サブピクセルを有するものである、ディスプレイ装置。
【請求項１５】
前記ピクセルはカラーのサブピクセルを有するものである、請求項１４記載のディスプレイ装置。
【請求項１６】
前記ピクセルは直線的に配置された赤と緑と青と赤外線のサブピクセルを有するものである、請求項１５記載のディスプレイ装置。
【請求項１７】
前記ピクセルは２ｘ２マトリクスに配置された赤と緑と青と赤外線のサブピクセルを有するものである、請求項１６記載のディスプレイ装置。
【請求項１８】
請求項１記載のディスプレイ装置であって、さらにグローバル・ポジショニング信号を受信する手段を有するものである、ディスプレイ装置。
【請求項１９】
請求項１記載のディスプレイ装置であって、さらに前記筐体の外面に配置されたキーパッドを有するものである、ディスプレイ装置。
【請求項２０】
請求項１記載のディスプレイ装置であって、さらに前記筐体の外面に配置された第２のディスプレイを有するものである、ディスプレイ装置。
【請求項２１】
請求項１記載のディスプレイ装置であって、さらに外部ユーザー入力装置からユーザー入力信号を受信するための電気的インターフェイスを有するものである、ディスプレイ装置。
【請求項２２】
請求項２１記載のディスプレイ装置であって、さらに前記外部ユーザー入力装置を前記ディスプレイ装置に接続するための機械的インターフェイスを有するものである、ディスプレイ装置。
【請求項２３】
請求項１記載のディスプレイ装置であって、さらにディスプレイ信号を外部ディスプレイに与えるための電気的インターフェイスを有するものである、ディスプレイ装置。
【請求項２４】
請求項２３記載のディスプレイ装置であって、さらに前記外部ディスプレイを前記ディスプレイ装置に接続するための機械的インターフェイスを有するものである、ディスプレイ装置。
【請求項２５】
請求項１記載のディスプレイ装置であって、さらに前記収納式ディスプレイを巻きつけることができるように、前記筐体の内側の部分に連結しているロッドを有するものである、ディスプレイ装置。
【請求項２６】
請求項１記載のディスプレイ装置であって、さらに前記筐体に含まれるファンを有するものである、ディスプレイ装置。
【請求項２７】
請求項１記載のディスプレイ装置であって、さらに前記装置のユーザーの指紋認識を行う手段を有するものである、ディスプレイ装置。
【請求項２８】
請求項１記載のディスプレイ装置であって、さらに前記装置のユーザーの眼紋（アイプリント）認識を行う手段を有するものである、ディスプレイ装置。
【請求項２９】
請求項１記載のディスプレイ装置であって、さらに暗号化された入力通信信号を処理する手段を有するものである、ディスプレイ装置。
【請求項３０】
請求項１記載のディスプレイ装置であって、さらに前記筐体の外側の部分に連結されたアンテナを有するものである、ディスプレイ装置。
【請求項３１】
請求項１記載のディスプレイ装置であって、さらに前記筐体の内側の部分に連結されたアンテナを有するものである、ディスプレイ装置。
【請求項３２】
請求項１記載のディスプレイ装置であって、さらに前記ディスプレイ装置を外部アンテナに連結するためのアンテナ・インターフェイスを有するものである、ディスプレイ装置。
【請求項３３】
前記ディスプレイは複数のリン光ＯＬＥＤｓを有するものである、請求項１記載のディスプレイ装置。
【請求項３４】
前記ディスプレイは複数の透明有機発光デバイスを有するものである、請求項１記載のディスプレイ装置。
【請求項３５】
前記ディスプレイは複数のトップ発光有機発光デバイスを有するものである、請求項１記載のディスプレイ装置。
【請求項３６】
前記ディスプレイは複数のカプセル化有機発光デバイスを有するものである、請求項１記載のディスプレイ装置。
【請求項３７】
請求項１記載のディスプレイ装置であって、さらに前記筐体に統合されたビデオ・イメージャーを有するものである、ディスプレイ装置。
【請求項３８】
前記フレキシブル基板はプラスチックを有するものである、請求項１記載のディスプレイ装置。
【請求項３９】
前記フレキシブル基板は金属箔を有するものである、請求項１記載のディスプレイ装置。
【請求項４０】
前記ディスプレイは接触に反応するディスプレイ画面を含むものである、請求項１記載のディスプレイ装置。
【請求項４１】
前記ディスプレイは前記装置のユーザーの指紋を検知するための指紋センサーを含むものである、請求項１記載のディスプレイ装置。
【請求項４２】
前記ディスプレイは音声に反応するディスプレイ画面を含むものである、請求項４１記載のディスプレイ装置。
【請求項４３】
ディスプレイ装置であって、
筐体と、
表示データを提供するよう構成されたプロセッサと、
前記筐体に連結され、前記表示データに基づく視覚表示を提供するディスプレイであって、
前記ディスプレイはアクティブ・マトリクス・ディスプレイであり、アクティブ・マトリクス・バックプレーン上に積層された複数の発光デバイス（ＯＬＥＤｓ）を有し、
前記ディスプレイは複数のピクセルであって、各ピクセルはカラーのサブピクセル及び赤外線サブピクセルを有するものである、ピクセルを有するものである
ディスプレイと
からなるディスプレイ装置。
【請求項４４】
第一のモードにおいては、赤外線サブピクセルに電力が供給されないものである、請求項４３記載のディスプレイ装置。
【請求項４５】
前記ピクセルは直線的に配置された赤と緑と青と赤外線のサブピクセルを有するものである、請求項４３記載のディスプレイ装置。
【請求項４６】
前記ピクセルは２ｘ２マトリクスに配置された赤と緑と青と赤外線のサブピクセルを有するものである、請求項４３記載のディスプレイ装置。
【請求項４７】
請求項４３記載のディスプレイ装置であって、少なくとも以下の２以上のモードを作動させるように構成された、ディスプレイ装置。
ａ）人間の裸眼で前記視覚表示を視認できるよう、前記カラーのサブピクセルに電力が供給される第一のモード
ｂ）赤外線感知装置を使用した場合のみ視覚表示が視認できるよう、赤外線サブピクセルに電力を供給し、カラーのサブピクセルには電力を供給しない第二のモード
【発明の詳細な説明】
【技術分野】
【０００１】
本発明はディスプレイ・システムに関するものである。より具体的には、本発明は手持ちサイズの携帯通信装置として使用するための、インタラクティブ、低電力、収納可能な、情報処理機能を持つマルチメディア・ディスプレイ・システムに関するものである。
【背景技術】
【０００２】
電話およびパーソナル・デジタル・アシスタント（ＰＤＡ）などの手持ちサイズの携帯通信装置に対する需要の増加とともに、ますます多くの機能が前述の装置に要求されるようになってきている。例えば消費者は、電話機能、ページング、ファクス、ワイヤレス・インターネット接続、データ・ストレージなどを含む手持ちサイズの装置を求めている。しかし同時に消費者は、メーカーが前述の装置のサイズを縮小し続けることを求めている。
【０００３】
そういった手持ちサイズの装置は通常、ディスプレイを含んでいる。これらの装置の縮小サイズによる問題は、それらディスプレイが小さすぎて、多くの情報を提供できないことであり、また、提供可能な情報が、視覚的に見やすい方法で通常は提供されないことである。例えば、小型の手持ちサイズの電話あるいはＰＤＡに使われる典型的な発光ダイオード（ＬＥＤ）ディスプレイまたは液晶ディスプレイ（ＬＣＤ）は、不明瞭で、充分な量の情報を表示できない場合がある。例えば、前述のディスプレイは典型的に、Ｗｅｂページ全体を表示することが出来ない。更に、前述のディスプレイはフル・カラー表示でないことが多い。
【０００４】
典型的な従来技術に見られる手持ちサイズ通信装置は、前記装置のための処理電子部品を含む筺体を含む。前記筺体は、ユーザーが手に持つ装置の一部であり、よって、人の手にほどよく収まるように設計されているのが普通である。典型的に前記ディスプレイは、前記筐体の一部として一体化されている。その結果、前記ディスプレイのサイズは前記筺体のサイズによって制限される。更に、前述のディスプレイは通常、比較的大量の電気エネルギーを要求し、そのため、筐体が比較的大きい電源装置を含むため、メーカーは前記装置のサイズを縮小する能力が妨げられる。
【０００５】
図１Ａ−１Ｃは、いくつかの典型的な従来技術による手持ちサイズの通信装置を示す。図１Ａは、筐体１２および筐体１２に一体化されたディスプレイ１４を持つ、手持ちサイズ電話１０の図である。図が示すように、前記ディスプレイ１４は前記筐体１２よりも小さい。前記電話１０は、装置を操作するためにユーザーが使用できる複数のボタンを含むキーパッド１６を含む。前記キーパッド１６は、前記ディスプレイ１４から分かれている。
【０００６】
同様に、図１Ｂは、筐体２２と、前記筐体に一体化されたディスプレイ２４を有するパーソナル・デジタル・アシスタントの図である。やはり、前記ディスプレイ２４は前記筐体２２よりも小さい。前記パーソナル・デジタル・アシスタント２０は、装置２０を操作するためにユーザーが使用できるキーボード２６を含む。前記キーボード２６は、前記２４から分かれている。
【０００７】
図１Ｃは、筐体３２および筺体３２に一体化されたディスプレイ３４を有する、いわゆる折りたたみ式携帯電話の図である。図が示すように、ディスプレイ３４は筺体３２よりも小さい。上蓋３１を閉じると、ディスプレイ３４の一部分が覆われる。上蓋３１を開いて、ディスプレイ３４の覆われていた部分を露出することができる。あるいは、ディスプレイ３４を電話３０の上蓋３１に一体化することも可能である。上蓋３１の表面積は筺体３２の表面積を越える大きさではないので、いずれにしてもディスプレイ３４は筺体３２よりも小さくなる。折りたたみ式携帯電話３０は、ディスプレイ３４から分かれているキーパッド３６を含む。
【０００８】
いずれの場合も、前記ディスプレイは前記装置の筺体に一体化した（若しくは組み込まれた）いくつかの要素の１つにすぎない。いずれの場合も、前述のディスプレイはサイズ的に小さく、硬く、固定されており、一般に長方形である。結果的に、前述のディスプレイはユーザーにとって意味のある情報を提供するという点で機能的に限界がある。ゆえに、本技術分野において、情報処理機能を持つマルチメディア・ディスプレイのある通信システムが必要である。
【発明の開示】
【発明が解決しようとする課題】
【０００９】
本発明は、本発明に従ったインタラクティブ、低電力、収納可能な、情報処理機能を持つマルチメディア・ディスプレイ・システムを提供する。それは、手持ちサイズの携帯通信装置として使用可能なディスプレイ・システムである。本発明に従ったディスプレイ通信装置は、プロセッサと、無線信号の送受信のための無線トランシーバ装置と、前記筺体に機械的に連結された収納可能なディスプレイとを含む筺体を含む、インタラクティブで双方向の通信装置とすることができる。前記ディスプレイは、前記筺体のいずれの横断面よりも大きい表面積を持つことが可能である。前記筺体は、薄膜電源のような低電圧電源を含むことが可能である。
【００１０】
プロセッサを前記筐体の中に含め、それにより前記ディスプレイからのコマンドを受信し、受信したコマンドに基づく出力無線信号を作るように構成できる。前記ディスプレイはタッチ・コマンドを処理するようにすることができ、前記タッチ・コマンドに基づく受信コマンドが可能である。出力音声信号を送信するために、前記プロセッサにスピーカを連結させることが可能であり、前記プロセッサは前記入力無線信号からの音声データを抽出し、前記抽出された音声データを表す出力音声信号をスピーカに与えるようにすることができる。入力音声信号を受信するために前記プロセッサにマイクロフォンを連結することが可能であり、前記プロセッサが前記入力音声信号に基づく出力無線信号を作るようにすることができる。前記プロセッサは前記入力音声信号の表示によって搬送信号を変調することにより、出力無線信号を作るようにすることができる。
【００１１】
前記装置は、音声作動式にできる。前記プロセッサに、前記入力音声信号が電話信号かコマンドかを判断する機能を与えることができる。前記プロセッサは、例えばインターネットへの接続によって、前記ディスプレイ通信装置とリモート・ネットワーク装置間の接続を起動することができる。前記プロセッサは前記装置が電話モードかコマンド・モードかを判断するようになっている。前記プロセッサは、前記装置がコマンド・モードであれば、音声起動コマンドに対応するようになっている。前記ディスプレイをフレキシブル・ディスプレイとすることができる。前記通信装置に、前記筺体と前記ディスプレイに連結したロッドを含み、前記ディスプレイが前記ロッドに巻きつくようにすることができる。前記ロッドは、前記筺体の内部または外部に連結することができる。あるいは、前記ディスプレイが前記筺体そのものに巻きつくようにすることもできる。延長した位置に前記ディスプレイを固定するためのロッキング機構を前記装置に含めることができる。ディスプレイは収納可能である。
【００１２】
前記ディスプレイは、接触反応式にできる。前記ディスプレイが前記プロセッサに接触信号を提供し、前記プロセッサは前記接触信号の受信に対応する操作を実行することができる。また、前記ディスプレイ通信装置は、その時点で表示されている情報に対応する表示データを保存するためのディスプレイ・メモリを含めることができる。前記ディスプレイ・メモリを前記ディスプレイに（例えばピクセルそのものの中に）埋め込む、若しくは前記筐体の中に含めることができる。
【００１３】
前記ディスプレイは複数の有機発光デバイス（ＯＬＥＤ）を含むことができる。前記ＯＬＥＤは、例えば通常の並列ＯＬＥＤか、積層ＯＬＥＤ（ＳＯＬＥＤ）か、トップ発光または透明ＯＬＥＤ（ＴＯＬＥＤ）にすることができる。更に、前記ＯＬＥＤを有機光センサーと一体化することができる。
【００１４】
前記ディスプレイは複数の双安定ピクセルを含むことができる。前記ディスプレイは複数の自己設定可能なピクセルを含むことができる。各ピクセルはローカル・プロセッサと、前記ピクセルに伴うピクセル・アドレスを含むメモリとを含むことができる。前記ピクセルは、色、グレースケール、および／または解像度に関する設定を自ら行うようになっている。前記ピクセルは一群のサブピクセルを含むことができ、前記において各サブ・ピクセルは発光デバイスを数多く含む。サブピクセルを形成する発光デバイスの数は、ピクセルの色、グレースケール、解像度によって決まる。
【００１５】
前記プロセッサは、ピクセル・アドレスと、前記ピクセル・アドレスにあるピクセルに対応する明るさとを含むデータ・パケットを提供することによって、前記ディスプレイを更新することができる。現行の画像と以前の画像の比較、および以前の画像から現行の画像にディスプレイを変換するのに、前記プロセッサは変更される必要のあるピクセル明度を持つ１若しくはそれ以上のピクセルの識別を行うようになっている。前記プロセッサは、前記識別された１若しくはそれ以上のピクセルのピクセル明度の変更を引き起こす表示データを前記ディスプレイに提供することができる。１つのピクセルは、１若しくはそれ以上のカラーまたは赤外線のサブピクセルを含むことができる。
【００１６】
前記ディスプレイは、取り外しが可能なように前記筐体に連結することができ、取り外しが可能なように複数のそれぞれの外部装置に連結するようにできる。前記ディスプレイは、それが連結される前記外部装置に対して自動的に構成するようになっている。
【発明を実施するための最良の形態】
【００１７】
図２は、本発明に従った、情報処理機能を持つマルチメディア・ディスプレイ通信装置１００の好ましい実施形態を示す。図が示すように、前記装置１００は、この装置１００を作動するための主要な処理を行う電子部品を含むプロセッサ１０３を収容できる筐体１０２を含む。好ましくは、装置１００は手持ちサイズまたはポケットサイズの装置であり、例えば図に示されるような、全体としてペンまたはポインタに似た形である。前述の実施形態において、筐体１０２は細長で幅の狭い筐体である。好ましくは、装置１００は実際に書くための道具としても通信装置としても使うことができるように、インクまたは固体または液体グラファイトを含むディスペンサを含む。筐体１０２は、例えばプラスチック製とすることができる。
【００１８】
また、筐体１０２に、内部コンポーネントを冷却すると同様に、前記筐体内部に陽圧を与え、それによって、埃、砂、煙などの粒子が前記装置に入り込み内部コンポーネントを汚染するのを防ぐ働きをするマイクロ・ファンを含めることもできる。さらに、装置１００を水や埃などから保護するために持ち運び用ケースを提供することができる。図８は、前述の持ち運び用ケースである。好ましくは、持ち運び用ケース８０は金属またはプラスチックのような材料で作られており、衝撃および環境条件から前記装置を保護するためにオプションとして密閉シール８２を含む。好ましくは、持ち運び用ケース８０は、空洞になった細長の本体部８１と、空洞になった細長のキャップ部８３とを含み、全体として（葉巻のチューブのような）チューブ上の形状を持つ。好ましくは、キャップ部８３は着脱可能な方法で本体部８１に連結されている。例えば、キャップ部８３をスライドすることによって本体部８１との着脱が可能となるように、あるいはキャップ部８３を差し込むことによって本体部８１と着脱可能となるように、前記持ち運び用ケースを設計することができる。したがって、ネジスジによってキャップ部８３が本体部８１と着脱可能となるように、キャップ部８３および本体部８１にそれぞれ相補的なネジスジ（図８では示していない）を含めることができる。
【００１９】
密閉シール８２を分離した別の要素とすることも可能だが、密閉シールが本体部８１またはキャップ部８３のいずれかに取り付けられている方が好ましい。いずれにせよ、キャップ部８３が本体部８１に連結されているときに持ち運び用ケース８０が密閉されるように、密閉シール８２をキャップ部８３と本体部８１との間に配置する。前記装置の筐体は、直径１インチ前後になるものと見込まれる。したがって、持ち運び用ケース８０も、やはり約１インチの内径８０ｄが見込まれる。
【００２０】
プロセッサ１０３はマイクロプロセッサを含むことができるが、マイクロプロセッサに限定されるものではない。好ましくは、プロセッサ１０３は薄膜の「チップ上のデジタル無線機」である。すなわち、プロセッサ１０３はアナログおよびデジタル無線信号を処理する能力を提供する。前述の処理には、第三者の妨害に対して安全な通信を確保するデータ暗号化、ノイズ削減、バックグラウンド・ノイズ・キャンセレーション、エコー・キャンセレーション、あるいは他の同様の技法などを含め、音の質を向上させるための無数の信号処理技法が含まれ得る。データ暗号化／暗号解読能力の提供により、暗号化された通信信号を前記装置が受信、処理、送信できるのが好ましい。それにより、前記装置は第三者による妨害の可能性から確実に守られる。よく知られたデータ暗号化／解読技法のどれを採用してもよい（例えばＲＳＡ、ジフィーヘルマン（Ｄｉｆｆｉｅ−Ｈｅｌｌｍａｎ）、ＤＥＳ、トリプルＤＥＳなど）。
【００２１】
プロセッサ１０３はまた、複合無線機能（すなわち１つのチップ上で複数の無線機または無線機能）を提供することができる。例えば装置１００を、その環境、用途、およびディスプレイ通信装置１００が通信する外部装置の具体的な特徴に合わせて短距離赤外線信号、あるいは短距離、中距離、または長距離無線周波数（ＲＦ）信号を送信、処理、受信するようにできる。前述の無線電信能力を、プロセッサ１０３のソフトウェアに実装することが可能である。
【００２２】
好ましくは、プロセッサ１０３は音声、ビデオ、および／またはコントロール・データを含む通信信号の送受信を、選択的におよび／または同時に制御するための制御方法を含む。さらにプロセッサ１０３は、好ましくは、前記装置が受信する音声、ビデオ、および／またはコントロール・データを含む通信信号の表示または保存を、選択的におよび／または同時に制御するための制御方法を含む。本発明の好ましい実施形態におけるプロセッサ１０３の性能に関する詳細な説明を以下に記す。
【００２３】
装置１００は、例えば、出力無線信号の送信および入力無線信号の受信のためのアンテナを含む。前記無線信号はアナログまたはデジタルの無線信号でよい。装置１００は、シンプレックス（単信）、ハーフ・デュプレックス（半二重）、フル・デュプレックス（全二重）のうちの１若しくはそれ以上による送信モードで作動することができる。装置１００は、例えば時分割多重接続方式（ＴＤＭＡ）、周波数分割多重接続方式（ＦＤＭＡ）、符号分割多重接続方式（ＣＤＭＡ）、狭帯域ＣＤＭＡ（ＮＣＤＭＡ）、広帯域（広帯域またはワイドバンド）ＣＤＭＡ（ＢＣＤＭＡ）、超広帯域直交周波数分割多重（ＯＦＤＭ）のような接続方式、あるいは前述の接続方式のあらゆる組み合わせを取り入れることができる。無線トランシーバ装置１０４は、無線周波数（ＲＦ）、赤外線、紫外線、またははそれらに類似の電磁キャリヤ、あるいは光学的手段によって通信信号の送受信をするようにできる。
【００２４】
好ましくは、パケット・ベースの移動通信ネットワークとの適合性を与えるために、前記装置はパケット・スイッチ式通信の処理と送受信をするようになっており、また、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）、ＣＤＭＡ−２０００、Ｂｌｕｅｔｏｏｔｈ、ＷｉＦｉ標準８０２．１１ａ、８０２．１１ｂ、８０２．１１ｇなど、あらゆる標準若しくは標準の組み合わせにも合うようにできる。よって前記装置は、適切な接続標準または方式に応じた切り替えにより、さまざまなネットワーク・システムへの通信接続を提供することができる。
【００２５】
前記装置は、単一の基地局、複数の基地局（すなわちネットワーク）、またはあらゆる数の外部装置と通信する（信号の送受信をする）ことが可能である。よって、本発明に従った一つの通信装置である１００は、例えばセルラー・ネットワークやインターネットのような、遠隔通信ネットワーク上のノードとなることが可能である。前記装置１００は、ネットワークに含まれる１若しくはそれ以上の基地局と通信信号の送受信をすることができる。同様に前記基地局は、前記装置１００と通信信号の送受信をすることができる。前記装置が第１基地局の近接地から第２基地局の近接地に移動すると、第１基地局は前記装置との現状の通信リンク（着信または送信通信；音声またはデータ）を自動的に第２基地局へ引き渡すことができる。よって前記装置１００は、ユーザーの移動に伴い、前記基地局との通信（また結果的に、通信相手である遠端装置との通信）を維持することができる。装置１００を、外部装置またはネットワークとの永久接続を提供する「常時作動」装置とすることが可能である。
【００２６】
前述の基地局として、通信電子部品（例えばプロセッサ１０２やアンテナ１０４など）を含む外部装置が挙げられる。前記ディスプレイ通信電子部品を、前記基地局と通信するように電気的に接続することができる。ゆえに、前記基地局は装置１００に処理能力と通信インタフェイスとを提供することができる。前述の基地局を飛行機、自動車、バックパックなどに保管する、若しくは組み込むことができる。
【００２７】
アンテナ１０４はプロセッサ１０３に電気的に連結している。好ましくはアンテナ１０４は筐体１０２の外部部分に連結される。例えば、アンテナ１０４を筐体１０２に埋め込む、若しくは筐体１０２の外部に固定することが可能である。あるいは、アンテナ１０４を筐体１０２の内部部分に連結することが可能であり、筐体１０２内に部分的に、若しくは完全に含めることができる。装置１００を外部アンテナに電気的に接続することもできる。前記外部アンテナを前記装置に差し込み、前記装置の電子部品に連結することができる。前述の外部アンテナを、例えばバックパックに保管することにより、前記装置を使用したいと思ったときに、前記装置に前記アンテナを差し込むだけでいつでも使えるようにすることが可能である。
【００２８】
好ましくは、前記アンテナ１０４はインターネット接続および電話のための広帯域の音声／ビデオ信号を送受信するようになっている。すなわち、前記アンテナは全二重データおよび音声の送受信能力を備えており、広帯域のインターネット接続を提供する。好ましくは、前記装置１００はインターネットへの高速モバイル・アクセスを提供し、例えばマルチメディア・メッセージング・サービス（「ＭＭＳ」）を介して提供されるようなポケットベルおよびマルチメディア・テキスト・メッセージング機能も含む。
【００２９】
好ましい実施形態において、前記装置は処理機能があり、したがって前記無線トランシーバ装置１０４は狭帯域および／または広帯域信号の送受信機能を持つ。前述の広帯域信号は、例えば第３世代（３Ｇ）あるいは第４世代（４Ｇ）デジタル無線標準との互換性を持つことが可能であるが、本発明に従った装置はいかなる標準にも、あるいは複数の標準にも適合するようにできる。スマート・フォン（高度自動機能電話）を介した３Ｇ広帯域移動ワイヤレス・データ送信の最終的な標準は、いわゆるＩＭＴ−２０００仕様の承認によってＩＴＵ無線通信総会によって正式に採用された。一般に、前記装置がどのようにしてワイヤレス・キャリヤに接続するかとは無関係である。例えば、マルチ・ネットワーク装置「適切な」時に「適切な」ネットワークに接続するようになっているものと期待されている。つまり、多くのネットワークがいつでも前記通信装置にとって入手可能となるであろうことを仮定すれば、前記装置は、前記装置がその時点で試みている事柄に最も適切なネットワークへの接続を試みることになる。例えば、前記装置は、最良のレセプション、最高の能力、最大の帯域などを生むであろうネットワークを探し求めることになる。
【００３０】
将来の通信用途においては帯域が更に広くなることも考えられるが、好ましくは、無線トランシーバ装置１０４は約５から３０ＭＨｚの帯域を持つ無線を送受信するようになっている。更に、最高約１０Ｍｂｐｓかそれ以上のデータ・レートが期待される。
【００３１】
無線トランシーバ装置１０４は、（アンテナ自体、またはプロセッサ１０３の中のいずれかに）多様性を提供するための処理を含むことができる。すなわち、前記送信装置は同じ信号を何度も（例えば３回）送信することができ、前記受信装置は受信する信号のうち最良の信号を使うことができる。更に、無線トランシーバ装置１０４を、信号が送信または受信される環境の特性によって入力および出力信号を計測、増幅、または最適化する処理（アンテナ自体、またはプロセッサ１０３の中のいずれかに）を含むスマート・アンテナ（高度自動機能アンテナ）とすることが可能である。
【００３２】
前記装置１００はまた、例えばエアウェイの同時使用、あるいは使用に従ったスペクトラム変化といった超広帯域ソフトウェア定義済み無線（ＳＤＲ）機能、無線信号の電気的または磁気的分極に基づく無線信号の再分化を含むことができ、また、入手可能な無線スペクトラムの全国資源を共有することができる。前記装置は、例えば周波数機動またはハイブリッド（混合）通信技法といった適応技法を使って通信することもできる。
【００３３】
通信装置１００はまた、入力音声信号を受信するためのマイクロフォンと、出力音声信号を送信するための１若しくはそれ以上のスピーカを含むことができる。前記スピーカは、例えば、電話での会話の一部として受信された出力音声信号、ウェブページの一部としてインターネットからダウンロードした出力音声、あるいはユーザーとの通信の１つの形式として前記装置そのものによって産出された合成の人的スピーチを提供するために使うことができる。前記スピーカはまた、例えば電話入信時のリング音、ある特定の事柄が実行されたこと（例えば前記装置とインターネット・サービス・プロバイダとの接続完了（若しくは接続失敗）を示すトーン（または一連のトーン）など識別可能な音声を提供するために使うこともできる。前述の音は合成によって作り出すことができる。
【００３４】
好ましくは、通信装置１００はスピーカ（音声信号送信機）とマイクロフォン（音声信号受信機）の両方を持つマイクロトランシーバ１０８を含む。マイクロトランシーバ１０８はプロセッサ１０３に電気的に連結されており、筐体１０２に統合／埋め込みするか、あるいはその外部に取り付けることが可能である。プロセッサ１０３は、入力無線信号からの音声データを抽出し、抽出された音声データを表す出力音声信号を前記スピーカに与えるようになっている。また、プロセッサ１０３はマイクロフォンから受け取った入力音声信号に基づく出力無線信号を作るようになっている。
【００３５】
装置１００はまた、前記装置のユーザーおよび音声を送受信するワイヤレス誘導トランシーバ１１２も含む。ワイヤレス誘導トランシーバ１１２は、例えばワイヤレス・リンク１１４を介してプロセッサと通信するワイヤレス受話口でよい。前記トランシーバとしては、ユーザーの発話などによって生まれる振動をトランシーバが検知し、それに基づきユーザーの発話を表す音声信号を作る誘導トランシーバが好ましい。したがって、プロセッサ１０３はトランシーバ１１２に音声信号を伝達することができ、トランシーバ１１２は音声信号をプロセッサ１０３に伝達することができる。
【００３６】
ディスプレイ通信装置１００は、前記マイクロフォン（またはトランシーバ）を連結しているＡ／Ｄ変換機（プロセッサ１０３の一部またはその外付けとして）を含むことができる。前記マイクロフォンまたはトランシーバからのアナログ音声信号が前記Ａ／Ｄ変換機に入力される。前記Ａ／Ｄ変換機のデジタル化された出力がプロセッサ１０３に与えられる。するとプロセッサ１０３は、前記装置が電話モード（この場合、音声は前記無線トランシーバ装置１０４を介して送られるべきである）にあるか、コマンド・モード（この場合、音声が解読され、そのための措置が取られるべきである）にあるかを判断する。よって、前記マイクロフォンはプロセッサ１０３との連結が可能であり、音声入力手段として、電話通信のためにも、前記装置１００に音声コマンドを発出するためにも使うことができる。
【００３７】
好ましくは、プロセッサ１０３は人間の発話を理解および認識する能力を有する。発話認識技法はかなり良く知られており、演算能力および入手可能なメモリの継続的な増強によってますます一般化している。ユーザーは装置１００に向かって話しかけることによって、第３者に話を送信するか、あるいは装置１００にコマンドを与えることができる。好ましくは、本発明に従ったディスプレイ通信装置１００は、入力された発話を送信しようとしている（すなわち前記装置が電話モードにある）のか、入力された発話をコマンドとして解読しようとしている（すなわち前記装置はコマンド・モードにある）のかをプロセッサ１０３に伝えるための設定済み音声コマンドまたはキーボード操作を含む。
【００３８】
前述の音声コマンドには、ユーザーが電話をしたいと思う電話番号を発声するだけで前記装置が電話をかけてくれる音声ダイアリング能力を含むことができる。また、ユーザーはコードワード（電話したいと思う相手の名前など）を発声することによってもできる。前述のコードワードのリストをメモリに保存して、各コードワードに伴う電話番号または動作を特定できる。発声されたコードワードがリストにあれば、そのコードワードに従った番号へ前記装置が電話をかける。同様に、装置１００では、ユーザーの声が前記装置の承認済みユーザーの声である場合にのみ、その（一部若しくはすべての）機能性の利用許可を与えるというセキュリティ対策として音声認識を利用することができる。
【００３９】
装置１００が電話モードにあるとプロセッサ１０３が判断すると、希望する場合はデジタル化された音声信号の圧縮と暗号化が可能となり、Ｄ／Ａ変換機およびＲＦ信号が前記音声信号によって変調されているモジュレータに入力される。次に、変調された前記ＲＦ信号はアンテナ１０４に送られ、装置１００から外へ向けて送信される。装置１００がコマンド・モードにあるとプロセッサ１０３が判断すると、よく知られた発話処理技法を用い、デジタル化された音声入力信号の発話認識をプロセッサ１０３が行う。プロセッサ１０３には、音声コマンド受信に対する反応動作を起こすためのコマンド・コントローラを含むこともできる。前記装置を、好ましくはワイヤレス・リンクを介して、追加的な処理能力を前記装置に提供するセントラル・サーバまたはサーバ・プールに連結することもできる。それにより、前記装置そのものの処理能力の増強を必要とすることなく、より洗練され、コンピュータ的にも集約された処理を行うことができる。
【００４０】
受信された無線信号をアンテナ１０４から、デモジュレータ、Ａ／Ｄ変換機、解読器、デコンプレッサを通して送ることができる。デジタル音声信号を前記受信済み無線信号から抽出し、スピーカに与えて音声出力をすることができる。
【００４１】
好ましくは、筐体１０２も充電式薄膜電池のような低圧電源１０７を含む。前述の電池としては厚さ１０ミクロン以下のものが典型的で、約２から５ボルトの開放回路を持つことができる。前記電池は数千回のサイクルを行うことができ、典型的に、リチウムの溶融点（１８０℃）までのいかなる温度でも作動可能である。薄膜リチウム電池およびその製造プロセスについては、「薄膜リチウム電池およびプロセス」と題する米国特許第５、８９５、７３１号で説明されている。これらの電池は、プリズム状または円柱状の形状のいずれかによって作ることができる。
【００４２】
あるいは、装置１００はメタノール／水素を電力源とするマイクロ燃料電池、直液マイクロ・エタノール燃料電池、あるいはその他の同類の燃料電池技術などの発電機を含むことができる。前述の燃料電池は、酸素と反応させるために水素を用いて電流を流すのが典型的である。メタノールは、燃料電池が必要とする水素を運ぶ燃料として適していることが知られているため、前述の燃料電池に典型的に用いられる。メタノールのみを使ったマイクロ燃料電池は（例えばモトローラ社によって）開発中であり、本発明のディスプレイ通信装置には前述の燃料電池を利用することが有利ではないかと予測される。
【００４３】
装置１００へ電力を供給するために、例えば太陽電池、あるいは太陽光を電力に変換することができる何らかの光起電性材料などの太陽電源を使うこともできる。前述の太陽電源によって、太陽電力のみで前記装置を作動させることが可能であるかもしれない。柔軟で有機的な光起電性電池の使用が好ましい。前記装置が作動中に、（太陽電源またはマイクロ燃料電池などによって）発電された追加的な電力を使って前記電池を充電することができる。前記装置がオフのときは、発電される全電力を電池の充電のために使うことができる。
【００４４】
本発明によれば、情報処理能力のあるディスプレイ・システム１０６を筐体１０２に連結することができる。電気的にプロセッサ１０３に連結することができるディスプレイ・システム１０６は、コンベンショナル・モードまたは情報処理モードで作動可能である。コンベンショナル・モードでは、ディスプレイ全体が定期的に（例えばビデオ・アプリケーションでは１秒に６０から１００回、ビデオ以外のグラフィック・アプリケーションではそれより少なく）リフレッシュされる。前述の実施形態において、ディスプレイ・システム１０６をプロセッサ１０３（あるいはその他の外部ビデオ・ソース）に接続するために、従来のビデオ処理用電子部品を使うことができる。ディスプレイ・システム１０６が「情報処理モード」で作動する場合は、更新済み情報のみを前記ディスプレイに供給する必要がある。前述の実施形態において、プロセッサ１０３はディスプレイ１０６を直接制御することができる。プロセッサ１０３はビデオ入力を取り出し、その情報を処理してフレームごとのディスプレイ画像の変化を検知し、適切なビデオ情報をディスプレイ・システム１０６に送り出すことができる。
【００４５】
ディスプレイ・システム１０６のための処理能力は、プロセッサ１０３が提供することができる。前述の実施形態において、プロセッサ１０３は最新の受信画像（すなわち表示される画像）を前回受信した画像（すなわち現在表示されている画像）と比較するようにすることができる。次にプロセッサ１０３は個々のピクセル１０９を必要に応じて更新することができる。
【００４６】
本発明に従った通信装置を外部ビデオ・ソースと連結する用途として代表的なものに、前記装置をセキュリティ・システム（例えば百貨店で使うようなもの）と合わせて用いる用途がある。１若しくはそれ以上のリモート・カメラ（すなわち前記通信装置に対して遠隔な場所にあるカメラ）を使い、遠隔な場所それぞれの画像を映し出すことができる。前記画像を（好ましくはワイヤレスに）前記通信装置に送信することができる。するとディスプレイ・システム１０６は、前記通信装置のユーザーに、前記遠隔地で捕らえた画像を含むビデオ表示を提供することができる。前記画像を全画面表示し、自動的に１つのカメラから次のカメラへ更新するか、あるいは前述の画像をディスプレイ上の別々のウィンドウに同時に多数表示することが可能である。
【００４７】
あるいは、処理能力を各ピクセル１０９に局所的に提供することができる。例えば、各ピクセルが前記ディスプレイ中の他のピクセルに対してどのような位置にあるかを知るために、各ピクセル１０９をプログラム（若しくは初期化）することができる。何を表示するかを各ピクセル１０９が認識するように、特異なアドレス・コードを与えることができる。ゆえに、情報処理能力を持つディスプレイ・システム１０６のピクセル１０９を、ネットワーク上のノードとして表示することができる。前述の実施形態において、プロセッサ１０３はピクセル１０９に表示信号を与えることができる。好ましくは、表示信号には特定のピクセル（またはピクセル群）に対応するアドレスと、前記アドレスを持つピクセル（群）が表示すべきものを示すコンテンツとが含まれる。前記ピクセルは前記信号を受け、何を表示すべきかを前記信号から判断する。前記プロセッサが、より高いレベルの情報をピクセルに与えることができる実施形態も検討される。前述の実施形態において各ピクセル１０９は、表示すべき何があるかを判断するために、より高いレベルの情報に関する計算を行うことができる。
【００４８】
１若しくはそれ以上の薄膜電池または光起動性電池（あるいはそれらの何らかの組み合わせ）を前記ディスプレイ・システム１０６に取り付けることも可能である。前述の電力システムを、前記ディスプレイ上の視覚的表示を妨害しないように、前記ディスプレイの背面に取り付けるか直接に付着することができる。例えば、柔軟な薄膜電池または光起動性電池を前記ディスプレイ上に積層加工することができる。よって装置１００は、ディスプレイ・システム１０６が延長されていないときは第１の電力システムにより電力の供給を受け、また、ディスプレイ・システム１０６が延長されているときには、付加的電力を与えるか、若しくは第１電力システムの代わりに働く第２の電力システムによって電源を受けることができる。柔軟な光起動性電池の例として、有機、アモルファス・シリコン、あるいは二セレン化銅インジウムが挙げられる。第１および第２の電力システムが提供される場合、前記ディスプレイに取り付けられる電力システムは、前記ディスプレイが延長されない限り発電しない方が好ましい。
【００４９】
従来のディスプレイにおいては、その明るさの状態に応じてドライバー電子部品が各ピクセル１０９に必要な情報を提供することができる。情報処理能力のあるディスプレイにおいては、前記ピクセルへのデータ・パケットを運ぶ共通データ・バスを介して前記ピクセルを相互接続することができる。前記データ・パケットには、ピクセルの位置、色、明るさを表す値を持つフィールドが含まれる。前記データ・パケットは、その行き先となるピクセルの物理的アドレスと論理的アドレスのいずれかと、そのピクセルの明るさの状態を与えることができる。前述の実施形態において、各ピクセル１０９は、アドレスと明るさに関する情報を解読する回路を含むことができる。
【００５０】
本発明の１つの側面によれば、ディスプレイ画面１１０は、筐体１０２のいずれの横断面よりも大きい表面積を有することができる。図が示すように、前記ディスプレイ画面は一般に全体として長方形の形を持つことができるが、本発明に従ったディスプレイ・システム１０６は形状的要因の制約を受けないものと理解されるべきである。すなわち、情報処理能力を持つディスプレイを載せる基板は、あらゆる形を取ることができる。
【００５１】
好ましくは、ディスプレイ１０６は高効率、インタラクティブ、マルチメディアのディスプレイ・システムである。ディスプレイ１０６は、できる限り少ない電力消費で、できる限りの明るさを発するべきであり、光透過型若しくは光反射型のディスプレイが可能である。本発明の好ましい実施形態において、ディスプレイ画面１１０は複数のピクセル１０９を有する。各ピクセル１０９は、１若しくはそれ以上の発光エレメントを有する。ピクセル１０９は、有機材料、無機材料、あるいは有機と無機の材料の組み合わせを含むことが可能である。好ましくは、発光エレメントは、米国特許第６，３０３，２３８Ｂ１号に開示されているような蛍光エミッターを用いる、高効率の有機発光デバイス（ＯＬＥＤ）であり、前記特許の全文を参考として本書に記載した。米国特許第４，５３９，５０７号、第４，７６９，２９２号、第５，２９４，８７０号に開示されているような蛍光エミッターを用いてもよい。ＯＬＥＤの有機層には、小分子（すなわちノンポリマーであり、リンクされていない）材料、大分子（すなわちポリマーであり、リンクされている）材料のどちらを含むこともできる。ＯＬＥＤは、通常の並列ＯＬＥＤでも、スタックド（すなわち多重解像度）ＯＬＥＤ（ＳＯＬＥＤ）でもよい。透明ＯＬＥＤまたはトップ・エミッションＯＬＥＤのいずれかであるＴＯＬＥＤを用いてもよい。ＴＯＬＥＤの例は、米国特許第５，７０３，４３６号で説明されており、参考として前記特許の内容を本書に記載した。ＳＯＬＥＤの例は米国特許第５，７０７，７４５号で説明されており、参考として前記特許の内容を本書に記載した。
【００５２】
ＯＬＥＤ装置は（常にではないが）一般に、電極の少なくとも１つを通して発光するためのものであり、有機光電子装置において、１若しくはそれ以上の透明電極が有用である場合がある。例えば、インジウムスズ酸化物（ＩＴＯ）のような透明電極材料を下位電極として用いてもよい。また、本書に全文を参考として記載した米国特許第５，７０３，４３６号および第５，７０７，７４５号に開示されているような、透明のトップ・エミッション電極も使ってよい。下位電極を通してのみ発光するように作られた装置の場合、上位電極は透明である必要はなく、高い導電性を持つ、厚い反射性の金属層でもよい。同様に、上位電極を通してのみ発光するように作られた装置の場合、下位電極は不透明および／または反射性でもよい。電極が透明である必要がない場所では、より厚い層を使うことによって、よりよい導電性が得られる場合があり、反射性の電極を使い、透明電極に向けて光を反射して返すことにより、もう一方の電極を通る発光量が増加する場合がある。両電極とも透明な、完全に透明な装置を作ってもよい。側面発光のＯＬＥＤを作ってもよく、前述の装置において一方あるいは両方の電極を不透明または反射性としてもよい。
【００５３】
アノードは、有機層にホールを伝播するために充分な伝導性を持つ、適切なアノードであればよい。好ましいアノードの材料として、インジウムスズ酸化物（ＩＴＯ）のような伝導性金属酸化物、亜鉛スズ酸化物（ＺｎＴＯ）、および金属類が挙げられる。前記アノード（および基板）は、ボトム発光デバイスを作り出すために充分透明であればよい。好ましい透明基板およびアノードの組み合わせは、ガラスまたはプラスチック（基板）に市販のＩＴＯ（アノード）を付着したものである。本書に全文を参考として記載した、米国特許第５，８４４，３６３号に、柔軟で透明な基板とアノードの組み合わせが開示されている。前記アノードは不透明および／または反射性でもよい。一部のトップ発光式装置では、装置の上部からの発光量を増やすために、反射性アノードが好ましい場合がある。望ましい伝導性および工学的性質を得るために、前記アノードの材料および厚さを選んでもよい。前記アノードが透明である場合、望ましい伝導性を与えるのに充分な厚さと、望ましい透明度を与えるのに充分な薄さを持つ、特定の材料の厚さの範囲があってもよい。他のアノード材料および構造を用いてもよい。
【００５４】
ＯＬＥＤを付着する基板は、望ましい構造上の性質を与える、適切な基板であればよい。前記基板は、柔軟でも硬くてもよい。好ましい硬基板材料の例として、プラスチックとガラスが挙げられる。好ましい柔軟な基板材料の例として、プラスチックと金属箔が挙げられる。前記基板は、回路の製作に有利なように半導体材料としてもよい。例えば、後に前記基板に付着されるＯＬＥＤを制御するような方法で、シリコンウエハーの基板の上に回路を作ることができる。他の基板を用いてもよい。望ましい構造上および光学的性質を得るために、前記基板の材料および厚さを選んでもよい。
【００５５】
ディスプレイ・システム１０６は、機械的および環境上の保護を与えるために、前記ディスプレイ画面の上に付着される取り外し可能な保護層を含んでもよい。好ましくは、前記保護層は、例えばプラスチックのような薄い透明の材料で作り、簡単に交換可能できる。よって、前述の保護層は使い捨てのものにできる。
【００５６】
図３Ａから３Ｃが示すように、ディスプレイ１０６は収納可能である。すなわち、ディスプレイ１０６を収納可能な基板の上に作り、筐体１０２にディスプレイ１０６を押入れたり引き出したりできるような方法で筐体１０２に連結することができる。図３Ａは、完全に収納された状態のディスプレイ１０６を示す。図３Ｂは一部が延長されたディスプレイ１０６を示す。図３Ｃは完全に引き出された状態のディスプレイ１０６を示す。ディスプレイ１０６が収納されているときには柔軟でありながら、ディスプレイ１０６を引き出したときには硬くなるような高性能材料を使って前記ディスプレイ基板を作ることが可能性として考えられる。
【００５７】
薄膜付着プロセスを使って、収納可能な基板にピクセルを付着させ、収納式ディスプレイを作ることができる。ディスプレイ１０６を、プラスチックまたは薄い金属箔のような柔軟な基板上に作るのが好ましい。
【００５８】
プラスチック基板との適合性があるアクティブ・マトリクス・バックプレーンを作り、前記柔軟な基板に付着させることができる。そして、その上にピクセルを付着させることができる。アクティブ・マトリクスのディスプレイが好ましいが、本発明の原則によれば、パッシブ・マトリクスのディスプレイを使うこともできると理解されるべきである。アクティブ・マトリクスのディスプレイは、ダイオードをオンまたはオフの状態に保つために、典型的にトランジスタを使う。一方、パッシブ・マトリクスのディスプレイは、画像を維持するために、ある特定のリフレッシュ・レートでダイオードに電流を流す。
【００５９】
ＯＬＥＤディスプレイ技術が前述の柔軟な基板への使用に好ましい理由は様々だが、中でも、付着中のその基板温度が非常に低いことと、低電力レベルでの明るさが強いことが挙げられる。例えば、米国特許第５，８４４，３６３号で説明されているような、小分子ＯＬＥＤを使うことができる。また、プラスチックのフィルムを通して水分と酸素が浸透し、ＯＬＥＤの性能を劣化させることがないように、例えば米国特許第５，７７１，５６２号で開示されているような方法でカプセル化を行うのが好ましい。
【００６０】
フレキシブル液晶または電解放出ディスプレイを使うこともできる。例えば、フレキシブルＯＬＥＤバックライトを使ってフレキシブルＬＣＤを照らし、背後から照らされるフレキシブルＬＣＤにすることができる。さらに、電子ディスプレイに組み込まれるようにフィルムに加工された、例えば「電子インク」のようなフレキシブル電気泳動ディスプレイ媒体を使うこともできる（「電子インク」はＥ  Ｉｎｋ  Ｃｏｒｐｏｒａｔｉｏｎの専売製品である）。
【００６１】
ディスプレイ１０６は、ロッド１１３の周りに巻くことができる、例えば図２Ａから２Ｃで示すようなフレキシブル・ディスプレイとして形作ることができる。ユーザーはディスプレイ１０６をロッド１１３から巻き取るだけで、ディスプレイ１０６を延長することができる（図２Ａおよび２Ｂ参照）。ユーザーはディスプレイ１０６をロッド１１３の周りに巻くだけでディスプレイ１０６を収納することができる（図２Ｃ参照）。
【００６２】
図２Ａに描かれた実施形態において、ロッド１１３は筐体１０２の内側に取り付けられる。前述の実施形態において、ロッド１１３の一端または両端は、筐体１０２の内部の端に、回転式に連結することができる。図２Ｂおよび２Ｃの実施形態において、ロッド１１３は筐体１０２の外部に取り付けられる。前述の実施形態において、ロッド１１３は、１若しくはそれ以上の連結部分１１７それぞれに、回転式に連結することができる。各連結部分１１７を筐体１０２に（固定式または回転式に）取り付けることができる。ロッド１１３は１若しくはそれ以上の連結部分１１７それぞれに、固定式または回転式に連結することができる。ディスプレイ１０６は、ディスプレイ１０６をロッド１１３に物理的に連結するためのインターフェイス１１９を含むことができる。インターフェイス１１９もまた、ディスプレイ１０６と装置１００の残りの部分との間で電気的情報を伝達するための通り道を与えることができる。
【００６３】
さらにまた別の実施形態において、ディスプレイ１０６を筐体１０２の周りに巻きつけることができる。図２Ｄおよび２Ｅが示すように、ディスプレイ１０６はディスプレイ１０６を筐体１０２に物理的に連結するためのインターフェイス１２０を含むことができる。インターフェイス１２０もまた、ディスプレイ１０６と装置１００の残りの部分との間で電気的情報を伝達するための通り道を与えることができる。ユーザーは、ディスプレイ１０６を筐体１０２から繰り出すだけで、ディスプレイ１０６を延長することができる（図２Ｄ参照）。ユーザーはディスプレイ１０６を筐体１０２の周りに巻くだけでディスプレイ１０６を収納することができる（図２Ｅ参照）。
【００６４】
ディスプレイ１０６は、できる限り小さい湾曲半径を持つディスプレイを作ることができる材料で組み立てるのが好ましい。例えば、ディスプレイ１０６は上述のように、通常のペンあるいはポインタと同程度のサイズの筐体１０２の中に収納することができる、若しくは前記筐体に接続するロッドの上に巻きつけることができるほど、充分な薄さと柔軟さを持つことができる。例えば、前記基板は、例えば前記ディスプレイが前記筐体の中に収納された状態にあるときにできる限り小さな横断面（ロッドの長方向に対する直角平面）になるように、充分な薄さを持つべきである。同様に、前記基板に付着される構成部品は、充分小さい湾曲半径となるように、充分に小さく、充分に柔軟であるべきである。実行可能なピクセルサイズ（例えば、いわゆる「ナノピクセル」など）が非常に小さいので、ＯＬＥＤ技術が好ましい。
【００６５】
好ましくは、ディスプレイ１０６は（ちょうど巻尺テープのように）自動収納可能である。例えば、巻尺テープのようにロッド１１３に張力を与えることにより、ディスプレイ１０６を延長した状態で固定しない限りは、自動的にディスプレイ１０６がロッド１１３に巻きつくようにすることができる。ディスプレイ１０６はまた、ディスプレイ１０６が完全に延長された状態のときに固定機構が自動的に働く、自動固定機能を含むことができる。ディスプレイ１０６が固定されている状態で固定機構を解除することにより、ユーザーはディスプレイ１０６をロッド１１３または筐体１０２の周囲に巻きつけることができる。例えば前記固定機構として、あらゆるポイントで設定可能なラッチ、あるいはディスプレイ１０６が完全に延長されたときに自動的に設定されるか、ディスプレイ１０６が延長される多数のポイントのいずれにおいても設定可能なラッチが挙げられる。ディスプレイ１０６は、押すことによってディスプレイ１０６を収納する自動収納ボタン１１１を含むことができる。例えば、ロッド１１３の周囲にディスプレイ１０６が巻きつく実施形態において、自動収納ボタン１１１によってロッド１１３が回転し、ディスプレイ１０６がロッド１１３に巻きつくようにすることができる。また、自動収納ボタンによって固定機構を解除し、ロッド１１３または筐体１０２に前記ディスプレイが巻きつくようにすることができる。装置１００はまた、ディスプレイ１０６をロッド１１３または筐体１０２に巻き込んだり引き出したりするためのモーター（図には示されていない）を含むことができる。前記モーターは、筐体１０２に収納が可能なサイズと形であるものが好ましい。
【００６６】
プロセッサ１０３は、入力無線信号から表示データを抽出し、前記表示データの表示をディスプレイ１０６に与えるようになっている。本発明の好ましい実施形態において、通信装置１００と外部装置と間での通信プロトコルは、現在の通信プロトコルに比べると、要求される通信帯域の大幅な削減を可能にする。例えば、本発明に従ったシステムにおいて、すべてのピクセル１０９の情報を継続的に送信する必要はない。むしろ、外の世界から通信を介して与えられる、より高いレベルの情報に基づいて、表示するよう期待されるものが何かを判断する充分な「知性」が、各ピクセル１０９に与えられる。さらに、ディスプレイ１０６は、画像の変化につれて変化する必要性のあるそれらピクセル１０９のみを変化することによって更新される。しかし、下位互換性に関しては、装置１００は既存のプロトコルを使って作動する能力（すなわち旧プロトコルから新プロトコルへを解釈すること）を含むのが好ましい。
【００６７】
ディスプレイ通信装置１００はまた、筐体１０２に含まれることが可能か、ディスプレイ１０６に埋め込むことが可能なメモリ１０５を含むことができる。代わりに、あるいは追加的に、装置１００は、メモリカードのような取り外し可能なメモリと、前記メモリカードを対象とした読み込みと書き込みのための小型ドライブを含むことができる。通信装置１００が作動中に受信、送信、または使用する、音声、ビデオ、またはその他のデータの一時的若しくは永久的な保存のために前記メモリを使うことができる。前述のメモリには、例えば、前記通信装置と、異なる外部装置とのインターフェイスの働きをする多重機能を提供するロジックを含む、マルチモード・メモリカード若しくは「メモリスティック」が含まれる。
【００６８】
前述のメモリはまた、現在の表示に関する情報を保存することによって、ディスプレイ・システム１０６と外部装置との間に要求される帯域を削減することができる。その結果、プロセッサ１０３は、ディスプレイ１０６を更新する情報のみを送り出すことができる。情報処理能力を持つディスプレイの好ましい実施形態において、ディスプレイ・システム１０６は各ピクセル１０９に個別メモリを含むことができる。必要なメモリを提供するために、２〜３のトランジスタのような基本的メモリ・セルを使うことができる。各ピクセル１０９での２〜３のトランジスタの使用は、外部からピクセルへの情報を常に動かし続ける必要を減らす、若しくはなくす。あるいは、ピクセル・メモリ同士のやり取りを容易にするために外部チップを使うこともできる。
【００６９】
前記メモリは、アクティブ・マトリクス・ディスプレイのような、面積の大きい電子バックプレーンとして実装することができる。例えば、各ピクセルに多数のトランジスタが関連付けられるように、バックプレーンにピクセル・マトリクスをオーバーレイすることができる。現在は、前記ディスプレイ・バックプレーンを先に組み立ててから、そこに発光エレメントを付着する。通常は、前記ディスプレイ・バックプレーンは電子部品を含む。本発明に従った、情報処理能力を持つディスプレイ・システムにおいて、ピクセル特定のメモリのために、追加的電子部品を加えることができる。アモルファス・シリコン、ポリシリコン、有機薄膜技術（ＴＦＴ）、またはその他のＴＦＴを用いるのが好ましい。前述の面積の大きい電子バックプレーンに、プロセシングおよびロジックを組み込むことも可能である。
【００７０】
本発明のディスプレイ通信装置１００を音声起動することができるのが好ましい。例えばユーザーは、電子メールあるいは飛行機の運行予定の表示、画像のズームアップ、あるいは画面のある場所から別の場所へ画像を移動したいと思うかもしれない。例えば自分の電子メールを表示したいユーザーは、マイクロフォンに向かって「電子メール表示」などコマンドを発声するだけで、前記装置に電子メールを表示するように指令することができる。プロセッサ１０３は入力音声が（電話会話の一部ではなく）音声コマンドであると判断する。プロセッサ１０３には、音声コマンドを受け取り、解釈し、それに従った反応をするロジックが含まれる。例えばプロセッサ１０３は、ユーザーの電子メール・ボックスからユーザーの電子メールを読み出し、通信装置１００のメモリ１０５に保存することが可能である。あるいは、プロセッサ１０３はユーザーの電子メールを読み出すためにインターネット接続を開始することができる。いずれにしても、プロセッサ１０３はユーザーの音声起動コマンドの結果として、ディスプレイ１０６にユーザーの電子メールを表示することができる。一般に、装置１００に対して音声起動技術を使うことによって、装置１００が実行可能なあらゆる機能を実行することができる。さらに、ディスプレイ装置１０６をアクティブに設定するために音声起動を使ってもよい。例えば、ユーザーが「電話をかける」と発話するとディスプレイ装置１０６の自動設定によって電話キーパッド１３２が表示され、また「電子メールをタイプ」と発話するとキーボード１３４が表示される。装置１００またはディスプレイ装置１０６に配置されるエンゲージ手段によって自動設定が開始する。
【００７１】
ディスプレイ１０６は、図が示すように、マイクロフォン１２１と、スピーカ１２３と、デジタル・イメージャー１２５とを含むことができるディスプレイ枠１１５を有することができる。イメージャー１２５はディスプレイ画面１１０に組み込まれるか、若しくは埋め込まれる薄膜フィルム装置を含むことができる。有機または小分子ポリマーまたはハイブリッド無機ディテクターのイメージャー１２５が可能である。例えば、各ピクセル１０９（またはいくつかのピクセルのまとまり）は、その表示フィールド内に光を受け取る感知エレメントを有することができる。あるいは、イメージャー１２５の一部としてソフトウェアに実装可能な大面積画像技術を利用して、ディスプレイ画面１１０全体をビデオ送信／受信複合機とすることが可能である。本発明の別の実施形態においては、イメージャー１２５をディスプレイ画面１１０と分離する。例えば、イメージャー１２５をディスプレイ枠または装置筐体１０２に埋め込むか取り付けることができる。好ましい実施形態において、イメージャー１２５は、ディスプレイ１０６の収納可能な性質に影響を与えることがないように、充分に薄く、充分に柔軟な薄膜装置である。前記イメージャーは静止写真またはビデオに対応するデジタルデータを作り出すことができる。前記デジタルデータは、（筐体１０２の固定メモリか取り外し可能なメモリカードのいずれかの）メモリに保存し、後に読み出して表示することができる。このコンテクストにおいて、装置１００はデジタルカメラあるいはビデオカメラのような働きができる。
【００７２】
前述のデジタル・イメージャーを含むディスプレイ通信装置は、例えばジェスチャー・トラッキングのために使うことができる。前述の装置は、ユーザーのジェスチャーの画像を捉えることができる。そして、前述の一連の画像を、特定の既知のコマンドと比較することができる（そのためのマッピングは前記装置のメモリまたはいくつかのリモート・メモリ・ロケーションに保存する）。例えば、緊急時のユーザーが、ユーザーの現在の位置を示すと解釈される一連のジェスチャーをすることができたとする。前記装置は一連の画像を捉え、その一連のものをユーザーの位置を含む１つのメッセージとして解釈することができる。ジェスチャー・トラッキング技術、およびそれらを実行するソフトウェアは、この技術分野においてよく知られている。
【００７３】
ディスプレイ１０６は、ステレオ効果を得ることが望ましい場合にはスピーカ１２３を含むことができる。ディスプレイ１０６を収納すると、筐体１０２にあるスピーカ１０８が出力音声を提供する。しかし、ディスプレイ１０６を延長すると、ディスプレイ１０６にあるスピーカ１２３が自動的に起動する。ビデオ・イメージャーと同様、スピーカ１２３は、ディスプレイ１０６の収納可能な性質に影響を与えないように、充分薄く、充分柔軟な薄膜スピーカが好ましい。
【００７４】
好ましくは、ディスプレイ・システム１０６は接触反応画面１１０を含む。装置１００があらゆる接触入力の存在と場所を検知できるように、接触反応画面において、構成部品を前記画面自体の中に加える、若しくは画面１１０の上にオーバーレイすることができる。例えば、ユーザーは前述の接触反応画面を、画面上に書くためにスタイラス（またはユーザーの指）と合わせて使用することができる。前記画面はスタイラスの接触を検知し、スタイラスが画面に触れた場所に対照色（またはグレースケール）を表示することができる。さらに、ディスプレイ・システム１０６は前記筆記を検知し、「接触された」ピクセルに対応する座標データをプロセッサ１０３に伝達することができる。次に前記プロセッサは、遠端の通信装置に前記座標データが送信されるように機能する。すると前記遠端の装置は受け取った座標データを処理し、前記ユーザーの画面に表示されたものと同じ筆記を、その画面上に表示することができる。よって、前記装置を介して前記装置のユーザーが筆記した情報を、自分の装置から遠端の装置に送信することができる「電子ペン」として前記装置を使うことができる。
【００７５】
同様に、本発明に従ったいくつかの通信装置一式を、通信可能な方法でリンクし、前記いくつかの装置のユーザー・グループがグループ内で情報を共有できる「チーム・ツール」として使用することができる。前述の設定の第１の設定において、前記一式に含まれるどの装置からの通信出力も、前記一式の他の装置にそれぞれ提供され得るため、それぞれのユーザーが各自の装置において同じ情報を体験する。あるいは、前記一式に含まれる各装置を単独のディスプレイに通信可能な方法で連結することができるため、どの装置からの通信出力も前記ディスプレイに与えられる。前記装置は、リアルタイムで動く３次元画像を与える機能を持っていることが好ましい。例えば、ビデオ会議などにホログラフィック画像を提供することができる。前述の装置はまた、ビデオゲーム・ソフトウェアを含むこともできる。
【００７６】
接触反応画面はまた、ユーザーが入力したタッチ・コマンドをディスプレイ・システム１０６が検知し処理するのを可能にする。この情報を、例えば、画面１１０に表示されているスイッチを起動するため、あるいはディスプレイ１０６上の具体的なポイントを（例えば、ズーム参照点として）ハイライトするために使うことができる。
【００７７】
装置１００はまた、装置１００がユーザーの指紋を承認済みユーザーの指紋として検知した場合にのみ、その機能性（の一部またはすべて）へのアクセスを許可するセキュリティ対策として指紋認識（親指の指紋も含む）を含むことができる。前述の目的のために、前記装置は（前記筐体若しくは前記ディスプレイ・システム上に）ユーザーの指紋をスキャンするレセプターを含むことができる。前記レセプターは、メモリに保存された１若しくはそれ以上の指紋パターンと前記指紋パターンとを比較するプロセスを含む前記プロセッサに、前記指紋のパターンを伝える。保存されたパターンの１つと前記指紋パターンが一致すればユーザーが承認され、前記装置の機能性（または安全に対する機能性）が可能となる。
【００７８】
同様に前記装置は、装置１００がユーザーの眼を承認済みのユーザーの目として検知した場合にのみ、その機能性（の一部またはすべて）へのアクセスを許可するセキュリティ対策として、網膜、眼球虹彩などによる眼紋認識を含むことができる。前述の目的のために、前記装置は（前記筐体若しくは前記ディスプレイ・システム上に）ユーザーの眼紋をスキャンするレセプターを含むことができる。前記レセプターは、メモリに保存された１若しくはそれ以上の眼紋パターンと前記眼紋パターンとを比較するプロセスを含む前記プロセッサに、前記眼紋のパターンを伝える。保存されたパターンの１つと前記眼紋パターンが一致すればユーザーが承認され、前記装置の機能性（または安全に対する機能性）が可能となる。
【００７９】
図４は、本発明に従った、電話キーパッド１３２のある接触反応ディスプレイ１０６を有するディスプレイ通信装置１００の好ましい実施形態を示す。ユーザーは、通常の電話の電話キーパッド・ボタンを使う要領で、ディスプレイ１０６上の電話キーパッド１３２を使うことができる。ディスプレイ・システム１０６はユーザーの接触を検知し、ユーザーが接触した部分が画面上のどこであるかを判断し、ユーザーが触れた前記画面の部分を示す表示をプロセッサ１０３に伝達する。例えば、各ピクセルに（例えばｘ、ｙ平面にある）座標を割り当てることができる。ユーザーが前記ディスプレイ画面に触れると、前記ディスプレイ・システムが特定のピクセルへの接触があったことを検知し、それに対応する座標を前記プロセッサに伝える。ユーザーが画面のどの部分に触れたかに従って、プロセッサ１０３が前述のタッチ・コマンドを処理する。例えば、前記画面が現在、電話キーパッド・ボタンを表示しているなら、「接触された」電場番号への電話をかけ始めるように前記プロセッサをプログラムすることができる。
【００８０】
同様に図５は、例えばＰＤＡやポケットベルに見られるようなキーボード１３４のある接触反応ディスプレイ１０６を有する、本発明に従ったディスプレイ通信装置１００の好ましい実施形態を示す。ユーザーは、インターネット接続、電子メール通信、ポケベル呼び出しなどに、画面１１０をキーボードとして使うことができる。この場合も、ディスプレイ・システム１０６はユーザーの接触を検知し、ユーザーが接触した部分が画面上のどこであるかを判断し、ユーザーが触れた前記画面の部分を示す表示をプロセッサ１０３に伝達する。ユーザーが画面のどの部分に触れたかに従って、プロセッサ１０３が前述のタッチ・コマンドを処理する。
【００８１】
図６は、ウェブページ全体を表示する能力のあるディスプレイ画面１１０を有する、本発明に従ったディスプレイ通信装置の好ましい実施形態を示す。好ましくは、ディスプレイ画面１１０はフル・カラー表示であり、視覚的に好ましい形式でウェブページを表示するサイズと形である。前記装置は、ユーザーがインターネットを参照し、前述のウェブページをダウンロードすることを可能にするブラウザ・ソフトウェアを含むことができる。前記ダウンロード技術としては、例えばアプレットまたはＪａｖａ（登録商標）ベースが可能な他、その他のどんなダウンロード技術も使用できる。
【００８２】
好ましくは、ディスプレイ・システム１０６はディスプレイ画面１１０に複数の画像を表示することができる。すなわち、ディスプレイ・システム１０６は、ウェブサイトからダウンロードされるようなタイプの分割画面表示を提供するか、同時に複数のアクティブな部分を提供することができる。例えば、ディスプレイ画面１１０は、ユーザーがインターネットからダウンロードしたウェブページを表示する第１のサブディスプレイ（またはウィンドウ）と、ユーザーの電子メールを表示する第２のサブディスプレイ（またはウィンドウ）を同時に含むことができる。ユーザーはウィンドウからウィンドウへと移動し、インターネットおよび電子メールとのインタラクションを交互に持つことができる。ゆえに、本発明に従ったディスプレイ通信装置１００を使用して、複数の機能を同時に行うことができる。
【００８３】
好ましくは、ディスプレイ・システム１０６は自動設定能力を持つ。１つの設定において、サブディスプレイは与えられたある時点にオン（またはオフ）になっている１６のピクセルの数を変えることによってグレースケールを変更できる。前記ディスプレイは、表示される画像の必要に基づき、解像度かグレースケールかによって、前記ディスプレイそのものを再設定することができる。すなわち、前記サブディスプレイは、現行の表示に望まれるのが、より正確なグレースケールか、より高い解像度かに基づいて、前記サブディスプレイそのものを再設定することができる。例えば、ある具体的な画像にとり、４つのグレー・レベルで充分だが、より高い解像度が望ましい場合があるとする。前述のアプリケーションにおいて、前記４ｘ４サブディスプレイは、４つの２ｘ２サブディスプレイそれぞれに４つのグレー・レベルがあるサブディスプレイとして自らを再設定することができる。同様に、４つの４ｘ４サブディスプレイが共に機能することによって、解像度は下がるが６４のグレー・レベルを持つ８ｘ８ディスプレイを形成することができる。
【００８４】
１つの実施形態において、前記ディスプレイは双安定のピクセルを含むことができる。双安定のピクセルはバイナリ・モード（すなわち各ピクセルがオンかオフかのいずれかである）で作動し、変化するように指示がない限り現行の状態を維持する。前記ピクセルは、メモリを与えるために接続することが可能なＴＦＴ若しくはその他の電気部品を含むことができる。関連するピクセルのロケーションまたは明るさなどのデータを保存する通常のメモリ・エレメントを作るために、前記ＴＦＴを使うことができる。前記ディスプレイに表示されている情報が、特定のいずれのピクセルの明るさの状態も変える必要のないものであれば、そのピクセルに与える必要のある情報はなく、内部ローカル・メモリは前記ピクセル・メモリに保存された明るさの情報を維持することができる。そして前記ローカル・メモリは、前記ピクセルの明るさを制御するために必要な情報を前記ピクセル回路に与えることができる。
【００８５】
前記双安定ピクセルは、双安定回路の一部として、有機または無機の光検出器を含むことができる。さらに、純粋に電気的なフィードバックを用いて前記双安定ピクセルを作ることができる。前述のディスプレイに用いるための双安定ピクセルの例は、「有機光検知器と透明有機発光デバイスを用いた有機フォトニック集積回路」と題された米国特許出願第１０／２１９，７６０号に記されており、参考としてその開示を本書に含めた。
【００８６】
前述のディスプレイにおいて、各ピクセルを一群のサブピクセル（例えば４，８，１６、あるいは６４）として定義し、適切な数のサブピクセルをオンまたはオフにすることによってグレースケールを達成することができる。よって前記ディスプレイを、各ピクセルがオンかオフのいずれかの状態を持つ最大限の解像度、若しくは各ピクセルがグレースケール情報を表示している、より低い解像度で使うことが可能である。
【００８７】
カラーディスプレイにおいて、各ピクセルは３つのサブピクセル（各原色すなわち赤、青、緑）を含むことができる。図９Ａが示すように、ピクセル９０をサブピクセル９２Ｒ，９２Ｇ、９２Ｂの１ｘ３マトリクスに配列することができる。すなわち、前記３色のサブピクセル９２Ｒ、９２Ｇ、９２Ｂを直線的に配列することができる。よってディスプレイ１０６の各サブピクセル９２Ｒ、９２Ｇ、９２Ｂは、列ライン数の３倍を用い、（例えばモノクロームのディスプレイのように）あたかも各ピクセル９０が単一のアドレスを持つかのように、同じ行ライン数を使ってアドレスすることができる。
【００８８】
別のよく知られたピクセル配列は、いわゆるクワッド・グリーンアーキテクチャである。図９Ｂが示すこの実施形態において、ピクセル９０は、別の原色サブピクセル９２Ｒ、９２Ｂ、９２Ｇに加えて第２の緑色のサブピクセル９４Ｇを含む。図が示すように、前記サブピクセル９２，９４は２ｘ２マトリクスに配置される。よって、ディスプレイ１０６の各サブピクセル９２，９４に、まるで各ピクセル９０が１つのアドレスを持つかのように、行ライン数の２倍および列ライン数の２倍でアドレスすることができる。
【００８９】
通常、ディスプレイ１０６はできる限りよく見えるのが好ましいであろう。しかし、人間の裸眼ではディスプレイ１０６が見えない方が望ましい用途がある。前述の用途を可能にするために、ディスプレイ・システム１０６はまた、夜間に、例えば暗視ゴーグルのような赤外線感知装置を使った場合のみディスプレイ１０６が見えるようにするための赤外線（ＩＲ）ピクセルの使用を含むことができる。ディスプレイ・システム１０６は、例えば図９Ｃおよび９Ｄに示すような、４つのサブピクセル、すなわち緑９２Ｇを１つと、赤９２Ｒを１つと、青９２Ｂを１つと、赤外線９２Ｉを１つ含むピクセル・アーキテクチャを含むことができる。前述の実施形態において、常時すべてのサブピクセルに電力を与えるか、あるいは電力消費を減らすために、カラーが望ましい場合にカラーのサブピクセル９２Ｇ、９２Ｒ、９２Ｂにのみ電力を与え、カラーを希望しない場合に赤外線サブピクセル９２Ｉにのみ電力を与えることができる。図９Ｃが示すように、サブピクセル９２，９４を直線的に配列することも、また図９Ｄが示すようにサブピクセル９２、９４を２ｘ２のマトリクスで配列することもできる。
【００９０】
また、本発明に従ったディスプレイ・システム１０６を、筐体１０２、および携帯電話、ラップトップあるいはパソコン、パーソナル・デジタル・アシスタント（ＰＤＡｓ）、インターネット電化製品、テレビなどあらゆる数の外部装置にデタッチャブルな形で連結するかリムーバブルな形で接続することを可能にすることも考慮する。これに関連して、ディスプレイ・システム１０６を、情報の転送を可能にするあらゆる種類の外部装置に、ディスプレイ・システム１０６と前記外部装置の間で直接的または遠隔に連結することが可能である。この目的のために使用できるワイヤレス接続の例として、無線、光、赤外線、あるいは他の前述の通信キャリアが無制限に挙げられる。ディスプレイ・システム１０６は、前述の実装において、ディスプレイ・システム１０６が通信する外部装置を識別し、それに従って対応するようになっている。例えば、本発明に従った情報処理能力を持つディスプレイ・システムのユーザーは、ディスプレイ・システム１０６をセル方式携帯電話（あるいは他の前述の外部装置）に接続することができる。従って、接続後のディスプレイ・システム１０６は、前記外部装置に含まれるディスプレイへの帰属を仮定するので、前記外部装置に含まれるディスプレイよりも優れたディスプレイを提供することができる。
【００９１】
これらの場合において、ディスプレイ・システム１０６は、接続中のシステム・ディスプレイの特徴を認識する。例えば、ディスプレイ・システム１０６がセル方式携帯電話に接続された場合、ディスプレイ・システム１０６は、例えば解像度とグレースケールのコンテンツを判断することができる。次にディスプレイ・システム１０６は、前記セル方式携帯電話の画像を調整することによって、異なるサイズで適切に表示されるようにセル方式携帯電話ディスプレイの各ピクセルを、ディスプレイ・システム１０６の対応するピクセル１０９にマップすることができる。あるいは、より大きい画像若しくはより解像度の高い画像が望まれる場合は、前記セル方式携帯電話からの各ピクセルをディスプレイ・システム１０６の多数のピクセル上にマップすることができる。
【００９２】
同様に、前記ディスプレイは、数々のディスプレイをいくつでも、ある与えられた時に前記筐体に連結することができるように、前記筐体に取り外しが可能（デタッチャブル）な方法で連結することができる。例えば、前記装置のユーザーは、ある特定の状況下である特定のディスプレイ（例えば第１のディスプレイ解像度を持つもの）を使いたいが、異なる状況下では異なるディスプレイ（より良い解像度を持つもの）を使いたいと思うことがあるかもしれない。
【００９３】
ディスプレイ通信装置１００はまた、グローバル・ポジショニングのような位置発見能力も含むことができる。例えば、アンテナ１０４は、１若しくはそれ以上のグローバル・ポジショニング衛星からのグローバル・ポジショニング信号を受け取ることができる。するとプロセッサ１０３は、前記グローバル・ポジショニング信号から、装置１００の位置を判断することができる。プロセッサ１０３は、受け取ったグローバル・ポジショニング信号に基づきディスプレイ・システム１０６が装置１００の位置を表す視覚的表現を出すことができるように、データをディスプレイ・システム１０６に送ることができる。
【００９４】
図７は、本発明に従った、ディスプレイ・システム延長部分１４０を含むディスプレイ通信装置１００の好ましい実施形態を示す。図が示すように、ディスプレイ延長部分も収納可能である。好ましくは、ディスプレイ・システム延長部分１４０は収納可能なディスプレイ画面延長部分１４４を含む。ディスプレイ画面延長部分１４４は、上述のようにディスプレイ・システム１０６と接続して作ることができる。好ましくは、ディスプレイ画面延長部分１４４を、延長筐体１４２の中に納まっているロッドの周りに巻きつけることができる（図示せず）。よって、ディスプレイ・システム延長部分１４０を有するディスプレイ通信装置１００は、「ペンと鉛筆」セットの形を取ることができる。
【００９５】
ディスプレイ・システム１０６およびディスプレイ・システム延長部分１４０は、ディスプレイ延長インターフェイス１４６を介して互いに連結する。ディスプレイ・システム延長部分１４０がディスプレイ・システム１０６と連結すると、ディスプレイ・システム延長部分１４０の存在を装置１００が検知する。それ以降は、プロセッサ１０３がディスプレイ・システム１０６とディスプレイ・システム延長部分１４０の両方に表示データを与えることができる。例えば、表示データバスはディスプレイ・システム１０６を通って延長し、ディスプレイ延長インターフェイス１４６で完結することができる。同様に、ディスプレイ・システム延長部分１４０は、同じくディスプレイ延長インターフェイスで完結する表示データバスを含むことができる。よって、前記プロセッサはディスプレイ・システム１０６とディスプレイ・システム延長部分１４０の両方に、共通バスを介して表示データを伝達することができる。ディスプレイ延長部分１４０はまた、追加メモリを含むこともできる。
【００９６】
前記装置への情報入力とそこからの情報出力は、上述の延長可能なディスプレイ・システムと、筐体１００の外部表面に配置される低情報ディスプレイ・システムによって達成することができる。前記ディスプレイ・システムはプロセッサ１０３に通信可能な方法で連結することができ、電話番号や名前などを表示できるサイズと形にすることができる。
【００９７】
装置１００もまた、ユーザーのヘッドセットや眼鏡、あるいは、例えば腕時計のような手首に装着可能な装置に組み込むことが可能なマイクロ・ディスプレイに、取り外し可能（リムーバブル）な方法で接続することができ、それによって、より高いプライバシーを前記装置使用中のユーザーに与える。装置１００はまた、例えば自動車のフロントガラスに情報を表示するために、自動車のヘッドアップ・ディスプレイ（ＨＵＤ）あるいは透明有機発光デバイス（ＴＯＬＥＤ）ディスプレイに接続することもできる。
【００９８】
前記装置はまた、前記筐体に配置されたキーパッドを含むこともできる。前記キーパッドは、プロセッサ１０３に通信可能な方法で連結することができ、ユーザーが電話番号、テキスト、データなどを（おそらくピンまたは鉛筆の先を使って）入力できるサイズと形にすることができる。よって前記装置を、主要ディスプレイ・システム１０６を延長することなく操作することができる。同様に、装置１００を、ディスプレイ・システム１０１と外部入力または出力装置の間で直接または遠隔に情報を伝達する何らかの方法で、キーボード、マウス、ディスプレイなどの外部入力または出力装置に連結することができる。
【００９９】
また、前記装置を、照明、ステレオ、テレビ、電化製品などのリモートコントロール装置として使うことも期待される。前記装置を（前もってプログラム済みとするか、ユーザーがプログラムするかのどちらかによって）プログラムし、ユーザーが前記装置の適切なボタンを押すことによって、前記装置が前記外部装置を制御するために、好ましくは赤外線で、適切な信号を運ぶことができる。
【０１００】
本発明の代替実施形態において、前記通信装置はまた、収納可能な筐体を含むことができる。上述の技術のいずれかを使い、前記ディスプレイを前記筐体の外部に連結し、ロッドまたは前記筐体そのものの周りに巻きつけるか、前記ディスプレイが前記筐体の中に収納され前記筐体がそれ自体に巻きつくように、前記ディスプレイを前記筐体の内部に連結することができる。
【０１０１】
図１０Ａおよび１０Ｂが示すように、ディスプレイ・システム２０６を収納可能な筐体２０２の中あるいは上に組み込むことができる。前述の実施形態において、装置２００は、例えば図１０Ａが示すような従来のＰＤＡに似たものにすることができる。しかし、本発明に従えば、筐体２０２もディスプレイ２０６も収納可能であり、ユーザーは装置２００全体を巻きこむことができる（図１０Ｂ参照）。
【０１０２】
図１０Ｃから１０Ｅが示すように、通信装置２１０は収納可能な筐体２１２と、少なくとも部分的に筐体２１２の中に保管（図１０Ｃおよび１０Ｄ参照）若しくは筐体２１２から延長（図１０Ｅ参照）できる収納可能なディスプレイ２１６とを含むことができる。収納可能なディスプレイ２１６を、前記筐体の内部（図１０Ｃ〜１０Ｅ参照）あるいは前記筐体の外部（例えば図２Ｂおよび２Ｃが示すように）に回転式に連結することができるロッド２１３を介して、収納可能な筐体２１２に連結することができる。
【０１０３】
図１０Ｃが示すように、筐体２１２を、少なくとも筐体２１２の中に部分的に保管されたディスプレイ２１６と共に収納することができる。図１０Ｄが示すように筐体２１２を広げることができるが、ディスプレイ２１６は少なくとも部分的に筐体２１２の中に残っている。次に、図１０Ｅが示すようにディスプレイ２１６を筐体２１２から引き出すことができる。
【０１０４】
図１０Ｆが示すように、通信装置２２０は収納可能な筐体２２２と、収納可能な筐体２２２に取り付けられた収納可能なディスプレイ２２６とを含むことができ、収納可能なディスプレイ２２６と収納可能な筐体２２２は、それぞれ別に巻くことができる。
【０１０５】
以上、手持ちサイズの携帯通信装置として使うための、インタラクティブ、低電力、収納可能な、情報処理能力を持つマルチメディア・ディスプレイ・システムを説明してきた。本技術分野に精通した者であれば、本発明の好ましい実施形態にさまざまな変更と改良を加えることができ、本発明の意図から離脱することなく前述の変更と改良を行えることを評価するであろう。よって、前述の同等のバリエーションはすべて、本発明の真の意図と範囲の中に含まれるものとして添付の請求項が網羅するものと解釈する。
【図面の簡単な説明】
【０１０６】
本発明のその他の特徴は、添付の図と併せて本発明の実施形態の以下の詳細な説明からさらに明確である。
【図１Ａ】図１Ａ−１Ｃは、それぞれの筐体に一体化された比較的小型のディスプレイを有する、従来技術に見られる典型的な手持ちサイズの通信装置を示す。
【図１Ｂ】図１Ａ−１Ｃは、それぞれの筐体に一体化された比較的小型のディスプレイを有する、従来技術に見られる典型的な手持ちサイズの通信装置を示す。
【図１Ｃ】図１Ａ−１Ｃは、それぞれの筐体に一体化された比較的小型のディスプレイを有する、従来技術に見られる典型的な手持ちサイズの通信装置を示す。
【図２Ａ】図２Ａ−２Ｅは、本発明に従った、情報処理機能を有するマルチメディア・ディスプレイ通信装置の好ましい実施形態を示す。
【図２Ｂ】図２Ａ−２Ｅは、本発明に従った、情報処理機能を有するマルチメディア・ディスプレイ通信装置の好ましい実施形態を示す。
【図２Ｃ】図２Ａ−２Ｅは、本発明に従った、情報処理機能を有するマルチメディア・ディスプレイ通信装置の好ましい実施形態を示す。
【図２Ｄ】図２Ａ−２Ｅは、本発明に従った、情報処理機能を有するマルチメディア・ディスプレイ通信装置の好ましい実施形態を示す。
【図２Ｅ】図２Ａ−２Ｅは、本発明に従った、情報処理機能を有するマルチメディア・ディスプレイ通信装置の好ましい実施形態を示す。
【図３Ａ】図３Ａ−３Ｃは、収納可能なディスプレイを有する、本発明に従ったディスプレイ通信装置の好ましい実施形態を示す。
【図３Ｂ】図３Ａ−３Ｃは、収納可能なディスプレイを有する、本発明に従ったディスプレイ通信装置の好ましい実施形態を示す。
【図３Ｃ】図３Ａ−３Ｃは、収納可能なディスプレイを有する、本発明に従ったディスプレイ通信装置の好ましい実施形態を示す。
【図４】図４は、電話キーパッドのある接触反応ディスプレイを有する、本発明に従ったディスプレイ通信装置の好ましい実施形態を示す。
【図５】図５は、キーボードのある接触反応ディスプレイを有する、本発明に従ったディスプレイ通信装置の好ましい実施形態を示す。
【図６】図６は、Ｗｅｂページ全体の表示が可能なフル・カラーのディスプレイを有する、本発明に従ったディスプレイ通信装置の好ましい実施形態を示す。
【図７】図７は、ディスプレイの拡張を有する、本発明に従ったディスプレイ通信装置の好ましい実施形態を示す。
【図８】図８は、本発明に従ったディスプレイ通信装置を入れるための持ち運びケースを示す。
【図９Ａ】図９Ａ−９Ｄは、本発明に従ったディスプレイに用いることが可能なピクセルの代替実施形態を示す。
【図９Ｂ】図９Ａ−９Ｄは、本発明に従ったディスプレイに用いることが可能なピクセルの代替実施形態を示す。
【図９Ｃ】図９Ａ−９Ｄは、本発明に従ったディスプレイに用いることが可能なピクセルの代替実施形態を示す。
【図９Ｄ】図９Ａ−９Ｄは、本発明に従ったディスプレイに用いることが可能なピクセルの代替実施形態を示す。
【図１０Ａ】図１０Ａ−１０Ｆは、収納可能な筐体を持つ、本発明の代替実施形態を示す。
【図１０Ｂ】図１０Ａ−１０Ｆは、収納可能な筐体を持つ、本発明の代替実施形態を示す。
【図１０Ｃ】図１０Ａ−１０Ｆは、収納可能な筐体を持つ、本発明の代替実施形態を示す。
【図１０Ｄ】図１０Ａ−１０Ｆは、収納可能な筐体を持つ、本発明の代替実施形態を示す。
【図１０Ｅ】図１０Ａ−１０Ｆは、収納可能な筐体を持つ、本発明の代替実施形態を示す。
【図１０Ｆ】図１０Ａ−１０Ｆは、収納可能な筐体を持つ、本発明の代替実施形態を示す。
【図１Ａ】
2010252356.tif 000003
【図１Ｂ】
2010252356.tif 000004
【図１Ｃ】
2010252356.tif 000005
【図２Ａ】
2010252356.tif 000006
【図２Ｂ】
2010252356.tif 000007
【図２Ｃ】
2010252356.tif 000008
【図２Ｄ】
2010252356.tif 000009
【図２Ｅ】
2010252356.tif 000010
【図３Ａ】
2010252356.tif 000011
【図３Ｂ】
2010252356.tif 000012
【図３Ｃ】
2010252356.tif 000013
【図４】
2010252356.tif 000014
【図５】
2010252356.tif 000015
【図６】
2010252356.tif 000016
【図７】
2010252356.tif 000017
【図８】
2010252356.tif 000018
【図９Ａ】
2010252356.tif 000019
【図９Ｂ】
2010252356.tif 000020
【図９Ｃ】
2010252356.tif 000021
【図９Ｄ】
2010252356.tif 000022
【図１０Ａ】
2010252356.tif 000023
【図１０Ｂ】
2010252356.tif 000024
【図１０Ｃ】
2010252356.tif 000025
【図１０Ｄ】
2010252356.tif 000026
【図１０Ｅ】
2010252356.tif 000027
【図１０Ｆ】
2010252356.tif 000028
【外国語明細書】
2010252356000001.pdf
2010252356000002.pdf
2010252356000003.pdf
2010252356000004.pdf